(57)【要約】【課題】  スマートフォンのディスプレイに表示される図形や文字を見る為にルーペや老眼鏡を入れることが出来るスマホケースの提供。【解決手段】  ルーペ又は老眼鏡を収容することが出来る収容空間６を形成した収容部５を底板２の下面に設けている。【選択図】  図１
0003201993.tif 000002
【実用新案登録請求の範囲】
【請求項１】
スマートフォンを入れる為のスマホケースにおいて、ルーペ又は老眼鏡を収容することが出来る収容空間を形成した収容部を設けたことを特徴とするスマホケース。
【請求項２】
上記収容部を底板の下面に設けた請求項１記載のスマホケース。
【請求項３】
スマホケースに折畳み出来るカバーを備え、上記収容部をカバーの内面に設けた請求項１記載のスマホケース。
【考案の詳細な説明】
【技術分野】
【０００１】
本考案はスマートフォン（スマホ）を携帯する際に収容する為のケースに関するものである。
【背景技術】
【０００２】
スマートフォンとは高機能携帯電話機であり、音声通話以外に、インターネット接続、デジタルカメラによる撮影、動画や音楽の再生、ゲーム、スケジュール管理などが出来る。その為に汎用のオペデーティングシステムが搭載されており、利用者は必要なアプリテーションソフトを端末にダウンロードして使用することが出来るように構成されている。最近では、特に若者の大半は音声通話を主体とした従来の携帯電話機ではなくスマートフォンを使っている。
【０００３】
スマートフォン（イ）は図５に示すように正面にディスプレイ（ロ）を有した薄い箱型を成し、一般にはスマホケースと称されるケースに収容して携帯される。図６は従来の一般的なスマホケース（ハ）を示す具体例であり、該スマホケース（ハ）はスマートフォン（イ）が嵌ることが出来る浅いスマホ空間（ニ）が設けられ、底板（ヘ）の両側には湾曲した側縁（ホ）、（ホ）を起立した形状と成っている。
【０００４】
上記図６の（ａ）は正面図、（ｂ）は側面図、（ｃ）は（ａ）のＡ−Ａ断面図を示し、同図に示すスマホケース（ハ）は最も一般的な形態であるが、この他にも手帳型と言われてカバーを備えたケースも多用されている。上記側縁（ホ）、（ホ）はスマートフォン（イ）の両側端部と上下端部に係止することで外れないようにカバーすることが出来る。  スマホケース（ハ）はプラスチック製で、両側縁（ホ）、（ホ）は撓み変形してスマートフォン（イ）に係合することが出来る。
【０００５】
ところで、スマートフォン（イ）は音声通話やメールのみならず、インターネットの機能を備え、携帯可能な小型のパソコンとして何所に居ても使うことが出来る。しかし、スマートフォン（イ）は小さくてそのディスプレイ（ロ）に表示される画像や文字は非常に小さくて見にくい。特に、老眼が進んだ年寄にとっては、ディスプレイ（ロ）に表示される画像や文字が小さくて認識することが出来ず、スマートフォン（イ）を所有しても使いこなすことが出来ない場合も多い。
【０００６】
勿論、老人は老眼鏡を常に携帯している場合も多いが、日常の仕事で使う老眼鏡を掛けてもディスプレイに表示される非常に細かい文字や画像を認識することが出来難いことが多く、その為にスマートフォンを所持していても十分に使いこなすことが出来ない。
スマートフォンはそのディスプレイを操作することで、表示される文字や画像を拡大して見ることが出来るように成っているが、一々拡大操作するのでは時間がかかり面倒である。
【０００７】
ところで、スマートフォンには該ケースは必需品であるが、ケースに関する特許出願及び実用新案登録出願は殆どなされていない。
例えば、特開２０１３−２１５５４４号はスマートフォンの保護カバーに関するもので、スマートフォン本体の操作を安定させるため、スマートフォンの保護カバー背面の中央部に長手方向に細長く延び、軟質材にて帯体を形成している。
そこで、スマートフォンを使う際には該帯体を伸ばしてカバー背面との間に指を入れて安定させることが出来る。
【特許文献１】特開２０１３−２１５５４４号に係る「スマートフォンの保護カバーの持ち手帯」
【考案の開示】
【考案が解決しようとする課題】
【０００８】
このように、スマートフォンの画面は見にくくて上記のごとき問題がある。本考案が解決しようとする課題はこの問題点であり、細かい文字や画像を見る為にルーペや老眼鏡を収容することが出来るスマホケースを提供する。
【課題を解決するための手段】
【０００９】
本考案に係るスマホケースは、スマートフォンを収容することが出来ると共に、スマートフォンを使用する際に使うルーペ又は老眼鏡も収容することが出来るように構成している。
スマホケースにもその形態は色々あるが、開放型スマホケースの場合、その底面にルーペなどが収まる収容部を設けている。また、手帳型スマホケースの場合には、カバーの内側に上記収容部を設けることが出来る。
ここで、収容部に収容されるルーペ又は老眼鏡の具体的な形態は特に限定しないが、出来る限り厚さを薄くしたものが適している。
【考案の効果】
【００１０】
本考案のスマホケースは収容部を設けており、この収容部にルーペ又は老眼鏡を収めることが出来る。したがって、スマートフォンを使用する際には収容部からルーペ又は老眼鏡を取出して顔に掛けることが出来、細かい文字や画像を正確に見ることが可能と成り、一々、文字や画像を拡大する必要がない。
そして、ルーペや老眼鏡はスマホケースに収容部を設けていることで、他の場所に置き忘れることはなく必要時に取出して使うことが出来る。
【図面の簡単な説明】
【００１１】
【図１】本考案に係るスマホケースを示す実施例。
【図２】スマホケースの収容部に入れるルーペ。
【図３】収容部にルーペを入れた状態。
【図４】本考案に係るスマホケースを示す他の実施例。
【図５】一般的なスマートフォン。
【図６】従来のスマホケースを示す具体例。
【考案を実施するための形態】
【００１２】
図１は本考案に係るスマホケース１を示す実施例であり、（ａ）は正面図、（ｂ）は側面図、（ｃ）は（ａ）のＢ−Ｂ断面図をそれぞれ表している。基本的な形態は前記図６に示すスマホケースと共通し、底板２の両側には側縁３，３を湾曲して起立し、正面は開口してスマホ空間４を有している。したがって、スマートフォンはこのスマホ空間４に嵌って収容され、この状態で携帯し、また使用することが出来る。
【００１３】
勿論、同図に示すスマホケース１は単なる１具体例に過ぎず、色々な形態のスマホケースが存在している。
ところで、本考案のスマホケース１には上記底板２の底面に収容部５を設けている。該収容部５は縦・横寸法がＬ×Ｍとする長方形で、その厚さＨは薄くし、底板２との間には収容空間６を形成している。この収容空間６は一方側に開口７を有し、この開口７から老眼鏡又はルーペを入れることが出来る。そして、スマホケース１の底板２にはスマートフォンに設けているカメラのレンズが位置する箇所、及びマイクが配置される箇所は開口している。
【００１４】
図２はルーペ８を示す具体例であり、ルーペ８はツルを持たないフロント部だけで構成したメガネである。該ルーペ８は両リム９，９が山形に湾曲した連結部材１０にて連結され、リム９，９には凸レンズ１１，１１が嵌っている。また、ルーペ８の中央部と成る両リム９，９の内側には、鼻当てパット１２，１２が対を成して取付けられている。ただし、ルーペ８は一時的に使う為に鼻当てパット１２，１２を取付けないで構成する場合もある。
【００１５】
該ルーペ８を顔に掛ける場合、ツルが無い為に両鼻当てパット１２，１２が鼻の両脇に当たって鼻を挟み込むことで落下しないように保持される。そこで、両リム９，９を繋いでいる上記連結部材１０はバネ材で構成して撓み変形することが出来、その為に両鼻当てパット１２，１２の間隔は増減し、鼻を連結部材１０が撓み変形するバネ力にて挟み込むことが出来る。
すなわち、該ルーペ８を顔に掛ける場合には、両リム９，９を外側へ引っ張って両鼻当てパット１２，１２の間隔を広げて鼻の両脇を挟むことが出来る。
【００１６】
バネ材で構成している連結部材１０は両リム９，９を外方向へ引っ張ることで真直ぐになるように変形し（連結部材の曲率が小さく成り）、その為に顔に掛けた状態では連結部材１０は元の形状に湾曲しようとする（曲率が大きく成ろうとする）バネ力が発生する。
ここで、ルーペ８は両リム９，９を連結部材１０にて繋いだ構造としているが、紙面に対して垂直方向に湾曲することなく一平面内に収まった薄型としている。
【００１７】
図３は上記ルーペ８がスマホケース１の底板２に設けた収容部５の収容空間６に収まっている場合を示している。収容部５の厚さＨは薄く、ルーペ８の厚さは収容空間６の厚さ寸法より僅かに小さくてガタ付くことなく収まることが出来る。
しかし、ルーペ８の横幅寸法Ｎは収容空間６の縦寸法ｎより大きく成っている。したがって、収容空間６に入れる際には両リム９，９の間隔を縮め、その為に連結部材１０を湾曲させる必要がある。
【００１８】
連結部材１０はより大きく湾曲した状態で収容空間６に収容される為に、該連結部材１０の戻り変形に伴うバネ力が働いて、ルーペ８の両側端（リム外周）は収容部５の内側端面に当接する。従って、ルーペ８は収容空間６から外れ落ちることなく止着される。
一方、収容部５の開口側の正面板１４には切欠き１３が形成され、収容空間６に入れたルーペ８を取出す際に連結部材１０に指を掛けることが出来るようにしている。
【００１９】
図２に示すルーペ８は連結部材１０をバネ材で構成し、該連結部材１０が撓み変形することで、特別な止着手段がなくても該ルーペ８は収容空間６から抜け落ちることはない。しかし、連結部材１０をバネ材で構成しない場合、又は図２に示すようなルーペではなく老眼鏡の場合には何らかの止着手段を設けなくてはならない。
【００２０】
勿論、対象とする老眼鏡はツルを備えた一般的な形態ではなく、収容部５の収容空間６に収まるように薄くする必要はある。
ここで、上記止着手段の具体的な構造は限定しないが、例えば、収容空間６の開口７に開閉蓋を取付け、開閉蓋の軸部にバネを取付けることで蓋が常に閉じるように構成することが出来る。
【００２１】
一方、スマホケースにもその形態を手帳型とし、スマートフォンを使用しない場合にはディスプレイを覆うことが出来るカバーを取付けているものも多用されている。
そこで、該カバーの内側（内面側）に前記図１に示したような収容部５を設けることも出来る。スマートフォンを使用しない時にはカバーは閉じられている為に、収容部５の収容空間６に収めたルーペが抜け落ちることはない。
【００２２】
図４はカバー付きスマホケース１５を示す本考案の実施例である。同図の１６はスマートフォンが嵌る本体、１７はカバーを表し、該カバー１７は継手部１８を介して本体１６の側部に連結している。継手部１８は湾曲可能であり、その為にカバー１７は折畳まれて本体１６の上に重なり合うことが出来る。
上記本体１６は前記図１に示したスマホケース１と同じように、両側には湾曲した側縁１９，１９を起立し、スマートフォンは両側縁１９，１９の間に挟まれて取付けられる。
【００２３】
上記カバー１７の内側（内面側）には収容部２０を設けていて、この収容部２０にルーペや老眼鏡を入れることが出来るようにしている。該収容部２０は前記図１に示したスマホケース１の底板２に設けている収容部と同じであり、収容空間を形成している。そして、該収容空間の開口は継手部側に設けられ、その為にカバーを閉じた状態では特別な止着手段を設けなくても収容空間に入れたルーペや老眼鏡は抜け落ちることはない。
【符号の説明】
【００２４】
１   スマホケース
２   底板
３   側縁
４   スマホ空間
５   収容部
６   収容空間
７   開口
８   ルーペ
９   リム
10   連結部材
11   凸レンズ
12   鼻当てパット
13   切欠き
14   正面板
15   スマホケース
16   本体
17   カバー
18   継手部
19   側縁
20   収容部
【図１】
0003201993.tif 000003
【図２】
0003201993.tif 000004
【図３】
0003201993.tif 000005
【図４】
0003201993.tif 000006
【図５】
0003201993.tif 000007
【図６】
0003201993.tif 000008